(57)【特許請求の範囲】
【請求項１】
他の情報処理装置との間で近距離無線通信を行う通信部と、
前記他の情報処理装置との間での前記近距離無線通信の無線通信品質が所定条件を満たさない場合には、前記近距離無線通信により前記他の情報処理装置から供給された表示情報をメモリを介して表示装置に供給して表示させ、前記無線通信品質が前記所定条件を満たす場合には、前記無線通信品質が前記所定条件を満たす状態となる直前に前記他の情報処理装置から供給されて前記メモリに保持された表示情報と前記メモリに保持されている表示情報を表示している旨の情報とを前記表示装置に供給して表示させる制御を行う制御部と
を具備する情報処理装置。
【請求項２】
前記制御部は、前記他の情報処理装置との間での前記近距離無線通信が切断された場合に前記無線通信品質が前記所定条件を満たすと判断し、前記他の情報処理装置との間での前記近距離無線通信が可能となるまでの間、前記他の情報処理装置との間で前記近距離無線通信が切断される直前に前記他の情報処理装置から供給されて前記メモリに保持された表示情報を前記表示装置に供給して表示させる制御を行う請求項１記載の情報処理装置。
【請求項３】
前記制御部は、前記他の情報処理装置との間での前記近距離無線通信の受信信号強度が閾値を基準として小さい場合に前記無線通信品質が前記所定条件を満たすと判断し、前記他の情報処理装置との間での前記近距離無線通信の受信信号強度が前記閾値を基準として大きくなるまでの間、前記他の情報処理装置との間で前記近距離無線通信の受信信号強度が前記閾値を基準として小さくなる直前に前記他の情報処理装置から供給されて前記メモリに保持された表示情報を前記表示装置に供給して表示させる制御を行う請求項１記載の情報処理装置。
【請求項４】
他の情報処理装置との間で近距離無線通信を行う通信部と、
前記他の情報処理装置から供給された表示情報を表示する表示部と、
前記他の情報処理装置との間での前記近距離無線通信の無線通信品質が所定条件を満たさない場合には、前記近距離無線通信により前記他の情報処理装置から供給された表示情報をメモリを介して前記表示部に表示させ、前記無線通信品質が前記所定条件を満たす場合には、前記無線通信品質が前記所定条件を満たす状態となる直前に前記他の情報処理装置から供給されて前記メモリに保持された表示情報と前記メモリに保持されている表示情報を表示している旨とを前記表示部に表示させる制御を行う制御部と
を具備する情報処理装置。
【請求項５】
近距離無線通信を利用して表示情報を供給する第１情報処理装置と、
前記第１情報処理装置との間での前記近距離無線通信の無線通信品質が所定条件を満たさない場合には、前記近距離無線通信を利用して前記第１情報処理装置から供給された表示情報をメモリを介して表示装置に供給し、前記無線通信品質が前記所定条件を満たす場合には、前記無線通信品質が前記所定条件を満たす状態となる直前に前記第１情報処理装置から供給されて前記メモリに保持された表示情報と前記メモリに保持されている表示情報を表示している旨の情報とを前記表示装置に供給する制御を行う第２情報処理装置と、
前記第２情報処理装置から供給された情報を表示する表示装置と
を具備する情報処理システム。
【請求項６】
他の情報処理装置との間で近距離無線通信を行う場合に、前記他の情報処理装置との間での前記近距離無線通信の無線通信品質が所定条件を満たすか否かを判断する判断手順と、
前記無線通信品質が前記所定条件を満たさない場合には、前記近距離無線通信により前記他の情報処理装置から供給された表示情報をメモリを介して表示装置に供給して表示させ、前記無線通信品質が前記所定条件を満たす場合には、前記無線通信品質が前記所定条件を満たす状態となる直前に前記他の情報処理装置から供給されて前記メモリに保持された表示情報と前記メモリに保持されている表示情報を表示している旨の情報とを前記表示装置に供給して表示させる制御手順と
を具備する情報処理方法。
【発明の詳細な説明】
【技術分野】
【０００１】
本技術は、情報処理装置に関する。詳しくは、他の情報処理装置との間で近距離無線通信を行う情報処理装置、情報処理システムおよび情報処理方法に関する。
【背景技術】
【０００２】
従来、無線通信を利用して各種データのやり取りを行う無線通信技術が存在する。例えば、本体と表示部とを近距離無線通信により接続する情報処理装置が提案されている（例えば、特許文献１参照。）。
【先行技術文献】
【特許文献】
【０００３】
【特許文献１】特開２０１０−２５６９７３号公報
【発明の概要】
【発明が解決しようとする課題】
【０００４】
上述の従来技術では、近距離無線通信を利用して本体から表示部に各種情報を供給して各種情報を表示部に表示させることができる。
【０００５】
ここで、例えば、第１情報処理装置（例えば、スマートフォン）にコンテンツを記憶させておき、近距離無線通信を利用して第１情報処理装置から表示装置にそのコンテンツを供給して表示させることも考えられる。また、例えば、表示装置が近距離無線通信機能を備えていないことも想定される。この場合には、例えば、近距離無線通信機能を備える第２情報処理装置（例えば、クレードル）に第１情報処理装置（例えば、スマートフォン）を載置して、第２情報処理装置を介して表示装置にコンテンツを供給して表示させることが考えられる。
【０００６】
しかしながら、例えば、第２情報処理装置に載置されている第１情報処理装置を操作するため、第２情報処理装置から第１情報処理装置をユーザが持ち上げたような場合には、近距離無線通信が切断されてしまうことも想定される。この場合には、表示装置に表示される表示画面が突然消えてしまうおそれもある。そこで、このような場合でも、表示装置に適切な表示画面を表示させることが重要である。
【０００７】
本技術はこのような状況に鑑みて生み出されたものであり、近距離無線通信を利用して表示部に適切に表示情報を表示させることを目的とする。
【課題を解決するための手段】
【０００８】
本技術は、上述の問題点を解消するためになされたものであり、その第１の側面は、他の情報処理装置との間で近距離無線通信を行う通信部と、上記他の情報処理装置との間での上記近距離無線通信の無線通信品質が所定条件を満たさない場合には、上記近距離無線通信により上記他の情報処理装置から供給された表示情報をメモリを介して表示装置に供給して表示させ、上記無線通信品質が上記所定条件を満たす場合には、上記無線通信品質が上記所定条件を満たす状態となる直前に上記他の情報処理装置から供給されて上記メモリに保持された表示情報と上記メモリに保持されている表示情報を表示している旨の情報とを上記表示装置に供給して表示させる制御を行う制御部とを具備する情報処理装置および情報処理方法ならびに当該方法をコンピュータに実行させるプログラムである。これにより、無線通信品質が所定条件を満たさない場合には、近距離無線通信により他の情報処理装置から供給された表示情報をメモリを介して表示装置に供給して表示させ、無線通信品質が所定条件を満たす場合には、無線通信品質が所定条件を満たす状態となる直前に他の情報処理装置から供給されてメモリに保持された表示情報と、メモリに保持されている表示情報を表示している旨の情報とを表示装置に供給して表示させるという作用をもたらす。
【００１０】
また、この第１の側面において、上記制御部は、上記他の情報処理装置との間での上記近距離無線通信が切断された場合に上記無線通信品質が上記所定条件を満たすと判断し、上記他の情報処理装置との間での上記近距離無線通信が可能となるまでの間、上記他の情報処理装置との間で上記近距離無線通信が切断される直前に上記他の情報処理装置から供給されて上記メモリに保持された表示情報を上記表示装置に供給して表示させる制御を行うようにしてもよい。これにより、他の情報処理装置との間での近距離無線通信が切断された場合に無線通信品質が所定条件を満たすと判断し、他の情報処理装置との間での近距離無線通信が可能となるまでの間、他の情報処理装置との間で近距離無線通信が切断される直前に他の情報処理装置から供給されてメモリに保持された表示情報を表示装置に供給して表示させるという作用をもたらす。
【００１１】
また、この第１の側面において、上記制御部は、上記他の情報処理装置との間での上記近距離無線通信の受信信号強度が閾値を基準として小さい場合に上記無線通信品質が上記所定条件を満たすと判断し、上記他の情報処理装置との間での上記近距離無線通信の受信信号強度が上記閾値を基準として大きくなるまでの間、上記他の情報処理装置との間で上記近距離無線通信の受信信号強度が上記閾値を基準として小さくなる直前に上記他の情報処理装置から供給されて上記メモリに保持された表示情報を上記表示装置に供給して表示させる制御を行うようにしてもよい。なお、ここで、閾値を基準として小さい場合とは、閾値以下の場合と、閾値未満の場合との双方の意味を含むものとする。これにより、他の情報処理装置との間での近距離無線通信の受信信号強度が閾値を基準として小さい場合に無線通信品質が所定条件を満たすと判断し、他の情報処理装置との間での近距離無線通信の受信信号強度が閾値を基準として大きくなるまでの間、他の情報処理装置との間で近距離無線通信の受信信号強度が閾値を基準として小さくなる直前に他の情報処理装置から供給されてメモリに保持された表示情報を表示装置に供給して表示させるという作用をもたらす。
【００１３】
また、本技術の第２の側面は、他の情報処理装置との間で近距離無線通信を行う通信部と、上記他の情報処理装置から供給された表示情報を表示する表示部と、上記他の情報処理装置との間での上記近距離無線通信の無線通信品質が所定条件を満たさない場合には、上記近距離無線通信により上記他の情報処理装置から供給された表示情報をメモリを介して上記表示部に表示させ、上記無線通信品質が上記所定条件を満たす場合には、上記無線通信品質が上記所定条件を満たす状態となる直前に上記他の情報処理装置から供給されて上記メモリに保持された表示情報と上記メモリに保持されている表示情報を表示している旨とを上記表示部に表示させる制御を行う制御部とを具備する情報処理装置および情報処理方法ならびに当該方法をコンピュータに実行させるプログラムである。これにより、無線通信品質が所定条件を満たさない場合には、近距離無線通信により他の情報処理装置から供給された表示情報をメモリを介して表示部に表示させ、無線通信品質が所定条件を満たす場合には、無線通信品質が所定条件を満たす状態となる直前に他の情報処理装置から供給されてメモリに保持された表示情報と、メモリに保持されている表示情報を表示している旨とを表示部に表示させるという作用をもたらす。
【００１４】
また、本技術の第３の側面は、近距離無線通信を利用して表示情報を供給する第１情報処理装置と、上記第１情報処理装置との間での上記近距離無線通信の無線通信品質が所定条件を満たさない場合には、上記近距離無線通信を利用して上記第１情報処理装置から供給された表示情報をメモリを介して表示装置に供給し、上記無線通信品質が上記所定条件を満たす場合には、上記無線通信品質が上記所定条件を満たす状態となる直前に上記第１情報処理装置から供給されて上記メモリに保持された表示情報と上記メモリに保持されている表示情報を表示している旨の情報とを上記表示装置に供給する制御を行う第２情報処理装置と、上記第２情報処理装置から供給された情報を表示する表示装置とを具備する情報処理システムおよびその情報処理方法ならびに当該方法をコンピュータに実行させるプログラムである。これにより、第２情報処理装置は、無線通信品質が所定条件を満たさない場合には、近距離無線通信を利用して第１情報処理装置から供給された表示情報をメモリを介して表示装置に供給し、無線通信品質が所定条件を満たす場合には、無線通信品質が所定条件を満たす状態となる直前に第１情報処理装置から供給されてメモリに保持された表示情報と、メモリに保持されている表示情報を表示している旨の情報とを表示装置に供給するという作用をもたらす。
【発明の効果】
【００１５】
本技術によれば、近距離無線通信を利用して表示部に適切に表示情報を表示させることができるという優れた効果を奏し得る。
【図面の簡単な説明】
【００１６】
【図１】本技術の第１の実施の形態における第１情報処理装置２００および第２情報処理装置３００の外観構成例を示す斜視図である。
【図２】本技術の第１の実施の形態における第１情報処理装置２００および第２情報処理装置３００の使用例を示す図である。
【図３】本技術の第１の実施の形態における情報処理システム１００の構成例を示すブロック図である。
【図４】本技術の第１の実施の形態における画像メモリ３６０の構成例を示す図である。
【図５】本技術の第１の実施の形態における第２情報処理装置３００による表示情報供給制御処理の処理手順の一例を示すフローチャートである。
【図６】本技術の第１の実施の形態における表示装置４００に表示される表示画面の遷移例を示す図である。
【図７】本技術の第１の実施の形態における第２情報処理装置３００による表示情報供給制御処理の処理手順の一例を示すフローチャートである。
【図８】本技術の第２の実施の形態における情報処理システム７００の構成例を示すブロック図である。
【図９】本技術の第３の実施の形態における情報処理システム６００の全体構成を示す斜視図である。
【発明を実施するための形態】
【００１７】
以下、本技術を実施するための形態（以下、実施の形態と称する）について説明する。説明は以下の順序により行う。
１．第１の実施の形態（表示情報供給制御：近距離無線通信を利用して表示装置（ナビゲーション装置）に各情報を表示させる例）
２．第２の実施の形態（表示情報供給制御：情報処理装置に表示部を備える例）
３．第３の実施の形態（表示情報供給制御：近距離無線通信を利用して表示装置（プロジェクタ）に各情報を表示させる例）
【００１８】
＜１．第１の実施の形態＞
［第１情報処理装置および第２情報処理装置の外観構成例］
図１は、本技術の第１の実施の形態における第１情報処理装置２００および第２情報処理装置３００の外観構成例を示す斜視図である。図１のａには、第１情報処理装置２００の外観を示す。また、図１のｂには、第２情報処理装置３００の外観を示す。
【００１９】
第１情報処理装置２００は、第１ボタン２３１乃至第５ボタン２３５と、表示部２４０と、音声出力部２５０とを備える。例えば、第１情報処理装置２００は、各種画像を表示させることが可能な無線通信装置（例えば、通話機能およびデータ通信機能を備える携帯電話装置やスマートフォン（いわゆる、モバイル端末））により実現される。なお、第１情報処理装置２００には他の操作部材を設けることも可能であるが、これらの図示および説明については省略する。
【００２０】
第１ボタン２３１乃至第５ボタン２３５は、第１情報処理装置２００における各操作を行うための操作部材である。
【００２１】
表示部２４０は、各種画像を表示する表示パネルである。なお、表示部２４０として、各種画像を表示するとともに、表示面に近接または接触する物体の検出状態に基づいてユーザからの操作入力を受け付けるタッチパネル（タッチスクリーンとも称される）を用いるようにしてもよい。
【００２２】
音声出力部２５０は、各種の音声情報を出力するスピーカである。例えば、音声出力部２５０は、通話時やコンテンツ再生時等に使用される。
【００２３】
第２情報処理装置３００は、載置面３０１および通信ケーブル３０２を備える。例えば、第２情報処理装置３００は、近距離無線通信を利用して他の電子機器（例えば、第１情報処理装置２００）から受信した情報を他の電子機器（例えば、図２に示す表示装置４００）に出力することが可能な情報処理装置により実現される。第２情報処理装置３００は、例えば、近距離無線通信により接続するタッチポイントを備えるクレードルである。なお、第２情報処理装置３００には他の操作部材を設けることも可能であるが、これらの図示および説明については省略する。
【００２４】
載置面３０１は、近距離無線通信を行う電子機器（例えば、第１情報処理装置２００）を載置するための面であり、近距離無線通信を行うためのタッチポイントを備える面である。
【００２５】
通信ケーブル３０２は、近距離無線通信を利用して受信した情報を他の電子機器に出力するための通信ケーブルである。通信ケーブル３０２として、例えば、ＵＳＢ（Universal Serial Bus）ケーブルを用いることができる。
【００２６】
ここで、本技術の第１の実施の形態では、近距離無線通信として、ＴｒａｎｓｆｅｒＪｅｔ（登録商標）を利用する例を示す。ＴｒａｎｓｆｅｒＪｅｔは、４．４８ＧＨｚ帯を用いた近距離無線通信方式である。この通信プロトコル（ＴｒａｎｓｆｅｒＪｅｔ）を用いることにより、４．４８ＧＨｚの電波を−７０ｄＢｍ／ＭＨｚ以下で使用し、最大５６０Ｍｂｐｓの高速近距離データ通信を実現することができる。また、近距離無線通信における通信距離を数ｃｍに限定することにより、通信処理を高速化することができるとともに、電子機器を小規模化することができ、省電力化を達成することができる。
【００２７】
［第１情報処理装置および第２情報処理装置の使用例］
図２は、本技術の第１の実施の形態における第１情報処理装置２００および第２情報処理装置３００の使用例を示す図である。図２のａには、第１情報処理装置２００および第２情報処理装置３００を使用する場所の一例（車の中）を示す。また、図２のｂには、第１情報処理装置２００および第２情報処理装置３００の使用状態（情報処理システム１００の使用状態）の一例を示す。
【００２８】
また、図２では、第２情報処理装置３００を表示装置４００に接続して使用する例を示す。ここで、表示装置４００は、外部機器から供給される各種情報に基づいて各種画像を表示することが可能な表示装置（例えば、液晶ディスプレイ）であり、例えば、ナビゲーション（Navigation）装置を用いることができる。
【００２９】
図２のａに示すように、車の中において、運転席および助手席の中間付近の正面に表示装置４００が設置され、車の中の中央付近に第２情報処理装置３００が設置されている。また、第２情報処理装置３００および表示装置４００は、通信ケーブル３０２により接続されているものとする。また、後部座席に座っている人物１０が第１情報処理装置２００を手に持ち、後部座席に座っている人物２０が第１情報処理装置２０１を手に持っている。なお、運転席に座っている人物（運転手）３０は、運転中には、第１情報処理装置２００、２０１等の操作をしないものとする。
【００３０】
ここで、第１情報処理装置２００に表示されるナビゲーション情報を表示装置４００にも表示する場合を想定する。例えば、後部座席に座っている人物１０が、手に持っている第１情報処理装置２００においてナビゲーションのアプリを起動させる。このアプリの起動後に、図２のｂに示すように、人物１０が第１情報処理装置２００を第２情報処理装置３００の載置面３０１に置く。このように、第１情報処理装置２００を第２情報処理装置３００の載置面３０１に置くことにより、第１情報処理装置２００および第２情報処理装置３００間において近距離無線通信が行われる。この近距離無線通信により、第１情報処理装置２００に表示される各種画面が、第２情報処理装置３００を介して表示装置４００に供給され、表示装置４００にも表示される。
【００３１】
ここで、第１情報処理装置２００からのナビゲーション情報が表示装置４００に表示されている場合を想定する。この場合に、例えば、人物１０に電話がかかってきた時や、第１情報処理装置２００において何らかの操作をしたいときには、人物１０が第１情報処理装置２００を持ち上げてしまうことが想定される。
【００３２】
ここで、近距離無線通信としてＴｒａｎｓｆｅｒＪｅｔを利用する場合には、近距離無線通信における通信距離が数ｃｍに限定されている。このため、例えば、人物１０が、第１情報処理装置２００を持ち上げてしまうと、第１情報処理装置２００および第２情報処理装置３００間における近距離無線通信が切断される。このように、近距離無線通信が切断された場合には、第１情報処理装置２００からのナビゲーション情報が表示装置４００に供給されないため、表示装置４００に表示されていたナビゲーション情報の表示画面が消えてしまうことがある。
【００３３】
そこで、本技術の第１の実施の形態では、第１情報処理装置２００および第２情報処理装置３００間における近距離無線通信が切断されたような場合でも、第１情報処理装置２００からのナビゲーション情報を表示装置４００に適切に表示させる例を示す。
【００３４】
［情報処理システムの構成例］
図３は、本技術の第１の実施の形態における情報処理システム１００の構成例を示すブロック図である。情報処理システム１００は、第１情報処理装置２００と、第２情報処理装置３００と、表示装置４００とを備える。
【００３５】
第１情報処理装置２００は、制御部２１０と、メモリ２２０と、操作部２３０と、表示部２４０と、音声出力部２５０と、近距離無線通信部２６０と、アンテナ２７０とを備える。なお、第１情報処理装置２００は、３Ｇ（3rd Generation：第３世代携帯電話）ネットワークを利用して通信を行うことが可能であるが、この通信に関する各機能については、ここでの詳細な説明を省略する。
【００３６】
制御部２１０は、メモリ２２０に格納されている制御プログラムに基づいて第１情報処理装置２００における各部の動作を制御するものである。制御部２１０は、例えば、ＣＰＵ（Central Processing Unit）により構成される。例えば、制御部２１０は、近距離無線通信部２６０と接続され、近距離無線通信部２６０を介して接続される他の電子機器との間で行われる各種データの送受信の制御を行う。
【００３７】
メモリ２２０は、制御部２１０が各種制御を行うための制御プログラム（例えば、各種アプリケーションプログラム、近距離無線通信部２６０による近接無線通信を制御するための通信制御プログラム）、送信データ、受信データ等を記憶するメモリである。メモリ２２０は、例えば、ＲＯＭ（Read Only Memory）やＲＡＭ（Random Access Memory）により構成される。例えば、メモリ２２０には、表示部２４０に各種画像を表示させるための表示情報が記憶されている。また、メモリ２２０に記憶されている表示情報は、近距離無線通信部２６０、アンテナ２７０を介して送信される。
【００３８】
操作部２３０は、ユーザにより行われた操作を受け付ける操作部であり、受け付けられた操作内容に応じた制御信号（操作情報）を制御部２１０に出力する。操作部２３０は、例えば、図１に示す第１ボタン２３１乃至第５ボタン２３５に対応する。
【００３９】
表示部２４０は、制御部２１０の制御に基づいて各画像を表示する表示パネルである。また、音声出力部２５０は、各種の音声情報を出力するスピーカである。
【００４０】
近距離無線通信部２６０は、制御部２１０の制御に基づいて、ＴｒａｎｓｆｅｒＪｅｔ規格に基づく近接無線通信を実行する通信モジュールである。すなわち、近距離無線通信部２６０は、近距離無線通信部２６０（アンテナ２７０）から所定の通信範囲内に存在する他の電子機器（近距離無線通信機能を備える電子機器）との間で近距離無線通信を行う。ここで、近距離無線通信部２６０と他の電子機器との間の近距離無線通信は、近距離無線通信部２６０と他の電子機器とが近接状態である場合にのみ可能となる。ここで、近接状態は、例えば、近距離無線通信部２６０と他の電子機器との間の距離が所定範囲（例えば、３ｃｍ）以内に接近または接触している状態を意味する。なお、近距離無線通信部２６０およびアンテナ２７０は、１つのモジュールとして構成するようにしてもよい。
【００４１】
アンテナ２７０は、近距離無線通信部２６０と接続され、誘導電界／磁界を用いた無線信号により他の電子機器（例えば、第２情報処理装置３００）との間で電波を送受するためのアンテナである。
【００４２】
第２情報処理装置３００は、通信ケーブル３０２と、制御部３１０と、メモリ３２０と、アンテナ３３０と、近距離無線通信部３４０と、無線通信品質検出部３５０と、画像メモリ３６０と、出力部３７０とを備える。
【００４３】
制御部３１０は、メモリ３２０に格納されている制御プログラムに基づいて第２情報処理装置３００における各部の動作を制御するものである。制御部３１０は、例えば、ＣＰＵにより構成される。例えば、制御部３１０は、近距離無線通信部３４０と接続され、近距離無線通信部３４０を介して接続される他の電子機器との間で行われる各種データの送受信の制御を行う。また、制御部３１０は、近距離無線通信部３４０を介して接続される他の電子機器（例えば、第１情報処理装置２００）からの表示情報を、他の電子機器（例えば、第２情報処理装置３００）に出力するための制御を行う。
【００４４】
メモリ３２０は、制御部３１０が各種制御を行うための制御プログラム（例えば、近距離無線通信部３４０による近接無線通信を制御するための通信制御プログラム）等を記憶するメモリである。メモリ３２０は、例えば、ＲＯＭやＲＡＭにより構成される。
【００４５】
アンテナ３３０は、近距離無線通信部３４０と接続され、誘導電界／磁界を用いた無線信号により他の電子機器（例えば、第１情報処理装置２００）との間で電波を送受するためのアンテナである。
【００４６】
近距離無線通信部３４０は、制御部３１０の制御に基づいて、ＴｒａｎｓｆｅｒＪｅｔ規格に基づく近接無線通信を実行する通信モジュールである。すなわち、近距離無線通信部３４０は、近距離無線通信部３４０（アンテナ３３０）から所定の通信範囲内に存在する他の電子機器（近距離無線通信機能を備える電子機器）との間で近距離無線通信を行う。また、近距離無線通信部３４０は、近距離無線通信に関する各種情報を、制御部３１０および無線通信品質検出部３５０に出力する。また、近距離無線通信部３４０は、近距離無線通信により受信されて復調された画像信号（画像データ）を画像メモリ３６０に供給して保持させる。なお、近距離無線通信部３４０およびアンテナ３３０は、１つのモジュールとして構成するようにしてもよい。なお、近距離無線通信部３４０は、特許請求の範囲に記載の通信部の一例である。
【００４７】
無線通信品質検出部３５０は、近距離無線通信部３４０の無線通信品質（通信状態）を検出するものであり、その検出結果を制御部３１０に出力する。例えば、無線通信品質検出部３５０は、近距離無線通信部３４０の無線通信品質（通信状態）として、近距離無線通信部３４０による近距離無線通信の切断を検出する。
【００４８】
ここで、無線通信品質を判断する場合には、例えば、ＲＳＳＩ（Receive Signal Strength Indication）を利用することができる。具体的には、例えば、無線通信品質検出部３５０は、近距離無線通信部３４０から出力される受信信号強度（ＲＳＳＩ）を順次測定する。そして、無線通信品質検出部３５０は、受信信号強度（ＲＳＳＩ）が閾値以下である場合には、近距離無線通信部３４０による近距離無線通信が切断されたと判断することができる。この場合には、無線通信品質検出部３５０は、その検出結果（切断検出の信号）を制御部３１０に出力する。
【００４９】
ここで、閾値は、予め設定されている値である。例えば、ＲＳＳＩを利用して無線通信品質を判断する場合には、最大値の１／３程度の値を閾値として設定することができる。このように閾値を設定することにより、情報処理装置間の距離が、近距離無線通信が可能となる境界付近となっている場合でも、近距離無線通信の切断として判断することができる。このように、近距離無線通信の切断を判断することにより、表示装置４００に表示される画像（例えば、地図）を区切らないようにすることができる。
【００５０】
画像メモリ３６０は、近距離無線通信部３４０による近距離無線通信により受信された画像信号（画像データ）を保持するメモリであり、保持されている画像信号（画像データ）を出力部３７０を介して外部の電子機器に供給する。
【００５１】
ここで、画像メモリ３６０として、例えば、ＥＮ（イネーブル）付きのＤ−ＦＦ（Delay Flip Flop）により構成されるメモリを用いることができる。また、画像メモリ３６０は、少なくとも、外部の電子機器（例えば、表示装置４００）の表示面における画面１枚分の画像をバッファすることができるメモリを用いるものとする。なお、画像メモリ３６０は、特許請求の範囲に記載のメモリの一例である。
【００５２】
出力部３７０は、画像メモリ３６０に保持されている画像信号（画像データ）を、通信ケーブル３０２を介して外部の電子機器（例えば、表示装置４００）に出力するものである。
【００５３】
［メモリの構成例］
図４は、本技術の第１の実施の形態における画像メモリ３６０の構成例を示す図である。なお、図４では、画像メモリ３６０とともに、第２情報処理装置３００を構成する各部を示す。
【００５４】
上述したように、近距離無線通信部３４０により受信されて復調された画像データ（表示情報）は、画像メモリ３６０に供給されて保持される。また、画像メモリ３６０に保持されている画像データは、制御部３１０の制御信号（ＥＮ信号、ＣＬＫ）に基づいて、通信ケーブル３０２を介して外部の電子機器（例えば、表示装置４００）に供給される。
【００５５】
画像メモリ３６０は、Ｎ個のＥＮ付きＤ−ＦＦ３６１乃至３６３により構成される。なお、図４では、説明の容易のため、３個のＥＮ付きＤ−ＦＦ３６１乃至３６３のみを示し、他のＥＮ付きＤ−ＦＦの図示を省略する。
【００５６】
ここで、Ｄ−ＦＦの数は、少なくても、外部の電子機器（例えば、表示装置４００）の表示面における画面１枚分の画像を作成することができる数とする。
【００５７】
ここで、制御部３１０は、無線通信品質検出部３５０からの検出結果（切断検出の信号）に基づいてＥＮ信号を出力する。具体的には、制御部３１０は、無線通信品質検出部３５０からの検出結果として切断検出の信号を受け付けていない場合には、ＥＮ信号をアクティブ（Active）とする。一方、制御部３１０は、無線通信品質検出部３５０からの検出結果として切断検出の信号を受け付けた場合には、ＥＮ信号をノンアクティブ（Non-Active）とする。これにより、制御部３１０は、無線通信品質検出部３５０からの検出結果として切断検出の信号を受け付けた場合には、画像メモリ３６０の書き込みをＥＮ信号により停止させる。
【００５８】
例えば、制御部３１０からのＥＮ信号がアクティブ（Active）のときには、通常動作として、入力された画像データＤの値がＱから出力される。一方、制御部３１０からのＥＮ信号がノンアクティブ（Non-Active）のときには、画像データの入力がないため、すでに保持されている直前の画像データがＱから出力される。
【００５９】
これにより、第１情報処理装置２００および第２情報処理装置３００間において、近距離無線通信が切断された場合でも、表示装置４００には、その切断の直前に表示されていた表示画面が表示されることになる。このように、第２情報処理装置３００に画像メモリ３６０を備えることにより、画像メモリ３６０に相当する画像メモリを表示装置４００に備える必要がない。
【００６０】
［第２情報処理装置の動作例］
図５は、本技術の第１の実施の形態における第２情報処理装置３００による表示情報供給制御処理の処理手順の一例を示すフローチャートである。
【００６１】
最初に、無線通信品質検出部３５０は、近距離無線通信部３４０からＲＳＳＩ値を取得する（ステップＳ９０１）。続いて、無線通信品質検出部３５０は、取得されたＲＳＳＩ値と閾値とを比較して、取得されたＲＳＳＩ値が閾値よりも大きいか否かを判断する（ステップＳ９０２）。
【００６２】
取得されたＲＳＳＩ値が閾値よりも大きい場合には（ステップＳ９０２）、制御部３１０は、画像メモリ３６０のＥＮ信号をアクティブ（Active）とする（ステップＳ９０３）。続いて、近距離無線通信部３４０により受信された画像データが画像メモリ３６０に保持され、画像メモリ３６０に保持された画像データが表示装置４００に供給される（ステップＳ９０４）。すなわち、画像メモリ３６０には、通常の書き込みが行われ、表示装置４００には、通常の表示がされる（ステップＳ９０４）。
【００６３】
また、取得されたＲＳＳＩ値が閾値以下である場合には（ステップＳ９０２）、制御部３１０は、画像メモリ３６０のＥＮ信号をノンアクティブ（Non-Active）とする（ステップＳ９０５）。続いて、画像メモリ３６０に保持されている画像データが表示装置４００に供給される（ステップＳ９０６）。すなわち、画像メモリ３６０への画像データの書き込みが停止され、表示装置４００には、直前に保持された画像データが表示される（ステップＳ９０６）。
【００６４】
続いて、終了指示操作が行われたか否かが判断され（ステップＳ９０７）、終了指示操作が行われていない場合には、ステップＳ９０１に戻り、終了指示操作が行われた場合には表示情報供給制御処理の動作を終了する。
【００６５】
このように、制御部３１０は、近距離無線通信により第１情報処理装置２００から供給された画像データ（表示情報）を画像メモリ３６０を介して表示装置４００に供給して表示させる制御を行う。ここで、第１情報処理装置２００との間での近距離無線通信の無線通信品質が所定条件を満たす場合を想定する。なお、無線通信品質が所定条件を満たす場合は、例えば、近距離無線通信の受信信号強度が閾値を基準として小さい場合や、近距離無線通信が切断された場合である。この場合には、制御部３１０は、第１情報処理装置２００から供給されて画像メモリ３６０に保持されている画像データ（表示情報）を表示装置４００に供給して表示させる制御を行う。
【００６６】
具体的には、制御部３１０は、無線通信品質が所定条件を満たす状態となる直前に第１情報処理装置２００から供給されて画像メモリ３６０に保持された画像データ（表示情報）を表示装置４００に供給して表示させる制御を行う。
【００６７】
また、制御部３１０は、第１情報処理装置２００との間での近距離無線通信が可能となるまでの間、第１情報処理装置２００から供給されて画像メモリ３６０に保持されている画像データ（表示情報）を表示装置４００に供給して表示させる制御を行う。
【００６８】
また、制御部３１０は、第１情報処理装置２００との間での近距離無線通信の受信信号強度が閾値を基準として大きくなるまでの間、画像メモリ３６０に保持されている画像データ（表示情報）を表示装置４００に供給して表示させる制御を行う。
【００６９】
このように、例えば、第１情報処理装置２００のナビゲーション機能を用いて、車に設置されている表示装置４００にナビゲーション情報（例えば、地図画面）を表示することができる。この場合に、例えば、第１情報処理装置２００が第２情報処理装置３００から外された場合でも、直前の地図画面を維持することができる。これにより、急にナビゲーション画面が消えることがなく、運転者は、安心して運転を続けることができる。
【００７０】
［静止画にメッセージを重ねて表示する例］
以上では、ＲＳＳＩ値が閾値以下である間、画像メモリ３６０に既に保持されていた画像データが表示装置４００に表示される例を示した。ここで、例えば、画像メモリ３６０に既に保持されていた画像データとともに、画像メモリ３６０に保持されている画像データが表示されている旨をユーザに通知することにより、ユーザは、その旨を迅速に把握することができると考えられる。そこで、以下では、画像メモリ３６０に保持されている画像データとともに、画像メモリ３６０に保持されている画像データが表示されている旨をユーザに通知する例を示す。
【００７１】
［表示装置の表示遷移例］
図６は、本技術の第１の実施の形態における表示装置４００に表示される表示画面の遷移例を示す図である。
【００７２】
図６のａには、第２情報処理装置３００の載置面３０１に第１情報処理装置２００が載置されている場合に、表示装置４００に表示されるナビゲーション情報の表示画面の一例（表示画面５００）を示す。
【００７３】
図６のｂには、第２情報処理装置３００の載置面３０１から第１情報処理装置２００が離された場合に、表示装置４００に表示されるナビゲーション情報の表示画面の一例（表示画面５１０）を示す。
【００７４】
表示画面５１０は、表示画面５００にメッセージ表示領域５１１が重ねて表示される表示画面である。メッセージ表示領域５１１には、例えば、「モバイル端末が外れたため、現在は静止画を表示しています。」が表示される。なお、メッセージ表示領域５１１には、他の情報を表示するようにしてもよい。例えば、「この画面は静止画です。」、「モバイル端末が外れているかもしれませんので、モバイル端末を戻してください。」、「モバイル端末を戻してください。」、「モバイル端末をクレードルに戻すまでの間、静止画を表示します。」等を表示するようにしてもよい。
【００７５】
［第２情報処理装置の動作例］
図７は、本技術の第１の実施の形態における第２情報処理装置３００による表示情報供給制御処理の処理手順の一例を示すフローチャートである。なお、図７は、図５の変形例であるため、図５と共通する部分については、同一の符号を付して、その説明の一部を省略する。
【００７６】
画像メモリ３６０のＥＮ信号をノンアクティブ（Non-Active）とした後に（ステップＳ９０５）、制御部３１０は、画像メモリ３６０に保持されている画像データに所定のメッセージを上書きする。そして、この所定のメッセージが上書きされた画像データが表示装置４００に供給される（ステップＳ９１１）。すなわち、画像メモリ３６０への画像データの書き込みが停止され、表示装置４００には、直前に保持された画像データとともに、所定のメッセージ（例えば、図６のｂに示すメッセージ表示領域５１１）が表示される（ステップＳ９１１）。
【００７７】
このように、制御部３１０は、無線通信品質が所定条件を満たす場合には、画像メモリ３６０に保持されている画像データ（表示情報）と、画像メモリ３６０に保持されている画像データ（表示情報）を表示している旨とを表示装置４００に表示させる制御を行う。
【００７８】
このように、直前に保持された画像データとともに所定のメッセージを表示させることにより、ナビゲーション情報の表示画面が急に静止したような場合でも、運転中のユーザ（例えば、図２のａに示す人物３０）は「静止画面」である旨を容易に知ることができる。また、このようなメッセージが表示された場合には、第１情報処理装置３００を第２情報処理装置３００の載置面３０１に戻すことを、運転中のユーザが促すことができる。
【００７９】
＜２．第２の実施の形態＞
本技術の第１の実施の形態では、第１情報処理装置（例えば、スマートフォン）からのナビゲーション情報を、第２情報処理装置（例えば、クレードル）を介して他の表示装置に表示する例を示した。ここで、第２情報処理装置および表示装置が一体で構成されている装置についても本技術の第１の実施の形態を適用することができる。
【００８０】
そこで、本技術の第２の実施の形態では、第２情報処理装置および表示装置が一体で構成されている装置の例を示す。
【００８１】
［情報処理システムの構成例］
図８は、本技術の第２の実施の形態における情報処理システム７００の構成例を示すブロック図である。
【００８２】
情報処理システム７００は、第１情報処理装置２００および第３情報処理装置７１０を備える。なお、第１情報処理装置２００は、図３に示す例と同一であり、第３情報処理装置７１０は、図３に示す第２情報処理装置３００および表示装置４００を一体化させた装置の一例である。このため、本技術の第１の実施の形態と共通する部分については、同一の符号を付して、これらの説明の一部を省略する。
【００８３】
第３情報処理装置７１０は、制御部３１０と、メモリ３２０と、アンテナ３３０と、近距離無線通信部３４０と、無線通信品質検出部３５０と、画像メモリ３６０と、出力部３７０と、表示部７２０とを備える。
【００８４】
出力部３７０は、画像メモリ３６０に保持されている画像信号（画像データ）を表示部７２０に出力するものである。
【００８５】
表示部７２０は、出力部３７０から出力される画像データ等を表示する表示パネルである。表示部７２０として、例えば、有機ＥＬ（Electro Luminescence）パネル、ＬＣＤ（Liquid Crystal Display）等の表示パネルを用いることができる。
【００８６】
＜３．第３の実施の形態＞
本技術の第１の実施の形態では、車の中に設置される表示装置にナビゲーション情報を表示する例を示した。ここで、例えば、スマートフォンに表示情報を記憶させておき、その表示情報を外出先のプロジェクタにより表示させることも想定される。
【００８７】
そこで、本技術の第３の実施の形態では、他の電子機器において表示情報を出力する例を示す。なお、本技術の第３の実施の形態における情報処理装置の構成については、図２、図３等に示す例と略同様である。このため、本技術の第１の実施の形態と共通する部分については、同一の符号を付して、これらの説明の一部を省略する。
【００８８】
［プロジェクタを用いる例］
図９は、本技術の第３の実施の形態における情報処理システム６００の全体構成を示す斜視図である。
【００８９】
情報処理システム６００は、第１情報処理装置２００と、第２情報処理装置３００と、プロジェクタ６１０とを備える。また、第２情報処理装置３００およびプロジェクタ６１０は、通信ケーブル３０２により接続される。
【００９０】
プロジェクタ６１０は、各画像を拡大してスクリーン６２０に投影することにより各画像を表示する装置である。
【００９１】
ここで、例えば、第１情報処理装置２００に画像データを記憶させておき、外出先のプロジェクタ６１０により表示させる場合において、不意の電話等により第１情報処理装置２００が第２情報処理装置３００から外されることも想定される。このような場合でも、直前の資料をそのまま表示させることができる。
【００９２】
また、ナビゲーション装置等の表示装置４００、プロジェクタ６１０以外の他の表示装置（例えば、テレビジョン等の映像視聴装置）において表示情報を出力する場合についても、本技術の実施の形態を適用することができる。
【００９３】
ここで、近年では、スマートフォンやタブレットＰＣ（Personal Computer）が急速に普及している。特に、ＣＰＵ（中央演算装置）の進化は著しく、一昔前のＰＣ並みのＣＰＵを備えるスマートフォンも存在する。このため、現在では、スマートフォンやタブレットＰＣにプレゼンテーション用コンテンツを記憶させておき、このコンテンツをスマートフォンやタブレットＰＣから出力させることも多くなりつつある。例えば、スマートフォンやタブレットＰＣに記憶されているプレゼンテーション用コンテンツを、外出先で液晶ディスプレイに表示させたり、プロジェクタによりスクリーンに投影して表示させたりする等が想定される。
【００９４】
また、近年では、電子機器同士を近接または接触させて使用する近接無線通信技術（例えば、ＴｒａｎｓｆｅｒＪｅｔ）が普及する傾向にある。近接無線通信技術は、通信相手を選択する手順をタッチするという行動に置き換えることができるため、特に、キーボードや液晶画面の小さなモバイル機器と組み合わせると有効であると注目されている。
【００９５】
ここで、上述したように、近接無線通信技術は、基本的に接触させて使用する。このため、例えば、スマートフォンに記憶されているコンテンツを近接無線通信技術を使用して液晶ディスプレイに表示させる場合には、スマートフォンを受信装置（例えば、クルードル）に載置した状態で使用する。この場合に、例えば、スマートフォンを操作しようとしてスマートフォンを持ち上げると、近接無線通信が切断してしまうおそれがある。例えば、スマートフォンをナビゲーション等で使用している場合には、表示画面が突然消えてしまうおそれがある。すなわち、ＴｒａｎｓｆｅｒＪｅｔは、通信可能範囲が数センチであるため、電子機器同士を少しでも離すと、無線通信が切断されてしまう可能性が高い。
【００９６】
そこで、本技術の実施の形態では、第２情報処理装置３００に画像メモリ３６０を設ける。このため、近接または接触させて使用する第１情報処理装置２００を表示装置に接続して使用する場合において、ユーザが第１情報処理装置２００を動かして通信が途切れたような場合でも、適切な表示情報を表示装置に表示させることができる。すなわち、直前に表示されていた画像データを画像メモリ３６０から読み出して表示を続けることにより、利便性を向上させることができる。
【００９７】
なお、本技術の実施の形態では、近距離無線通信として、ＴｒａｎｓｆｅｒＪｅｔを用いる例を示したが、他の近距離無線通信を用いるようにしてもよい。例えば、ＷｉＧｉｇ（WiGig Alliance（Wireless Gigabit Alliance）によって仕様策定が進められている高速無線通信の規格）を用いるようにしてもよい
【００９８】
なお、上述の実施の形態は本技術を具現化するための一例を示したものであり、実施の形態における事項と、特許請求の範囲における発明特定事項とはそれぞれ対応関係を有する。同様に、特許請求の範囲における発明特定事項と、これと同一名称を付した本技術の実施の形態における事項とはそれぞれ対応関係を有する。ただし、本技術は実施の形態に限定されるものではなく、その要旨を逸脱しない範囲において実施の形態に種々の変形を施すことにより具現化することができる。
【００９９】
また、上述の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。この記録媒体として、例えば、ＣＤ（Compact Disc）、ＭＤ（MiniDisc）、ＤＶＤ（Digital Versatile Disk）、メモリカード、ブルーレイディスク（Blu-ray Disc（登録商標））等を用いることができる。
【０１００】
なお、本技術は以下のような構成もとることができる。
（１）
他の情報処理装置との間で近距離無線通信を行う通信部と、
前記近距離無線通信により前記他の情報処理装置から供給された表示情報をメモリを介して表示装置に供給して表示させ、前記他の情報処理装置との間での前記近距離無線通信の無線通信品質が所定条件を満たす場合には、前記他の情報処理装置から供給されて前記メモリに保持されている表示情報を前記表示装置に供給して表示させる制御を行う制御部と
を具備する情報処理装置。
（２）
前記制御部は、前記無線通信品質が所定条件を満たす状態となる直前に前記他の情報処理装置から供給されて前記メモリに保持された表示情報を前記表示装置に供給して表示させる制御を行う前記（１）に記載の情報処理装置。
（３）
前記制御部は、前記他の情報処理装置との間での前記近距離無線通信が切断された場合に前記無線通信品質が所定条件を満たすと判断し、前記他の情報処理装置との間での前記近距離無線通信が可能となるまでの間、前記他の情報処理装置から供給されて前記メモリに保持されている表示情報を前記表示装置に供給して表示させる制御を行う前記（１）または（２）に記載の情報処理装置。
（４）
前記制御部は、前記他の情報処理装置との間での前記近距離無線通信の受信信号強度が閾値を基準として小さい場合に前記無線通信品質が所定条件を満たすと判断し、前記他の情報処理装置との間での前記近距離無線通信の受信信号強度が閾値を基準として大きくなるまでの間、前記他の情報処理装置から供給されて前記メモリに保持されている表示情報を前記表示装置に供給して表示させる制御を行う前記（１）または（２）に記載の情報処理装置。
（５）
前記制御部は、前記無線通信品質が所定条件を満たす場合には、前記他の情報処理装置から供給されて前記メモリに保持されている表示情報と前記メモリに保持されている表示情報を表示している旨とを前記表示装置に表示させる制御を行う前記（１）から（４）のいずれかに記載の情報処理装置。
（６）
他の情報処理装置との間で近距離無線通信を行う通信部と、
前記他の情報処理装置から供給された表示情報を表示する表示部と、
前記近距離無線通信により前記他の情報処理装置から供給された表示情報をメモリを介して前記表示部に供給して表示させ、前記他の情報処理装置との間での前記近距離無線通信の無線通信品質が所定条件を満たす場合には、前記他の情報処理装置から供給されて前記メモリに保持されている表示情報を前記表示部に供給して表示させる制御を行う制御部と
を具備する情報処理装置。
（７）
近距離無線通信を利用して表示情報を供給する第１情報処理装置と、
前記近距離無線通信を利用して前記第１情報処理装置から供給された表示情報をメモリを介して表示装置に供給し、前記第１情報処理装置との間での前記近距離無線通信の無線通信品質が所定条件を満たす場合には、前記第１情報処理装置から供給されて前記メモリに保持されている表示情報を前記表示装置に供給する制御を行う第２情報処理装置と、
前記第２情報処理装置から供給された前記表示情報を表示させる表示装置と
を具備する情報処理システム。
（８）
近距離無線通信により他の情報処理装置から供給された表示情報をメモリを介して表示装置に供給して表示させる第１表示手順と、
前記他の情報処理装置との間での前記近距離無線通信の無線通信品質が所定条件を満たす場合には、前記他の情報処理装置から供給されて前記メモリに保持されている表示情報を前記表示装置に供給して表示させる第２表示手順と
を具備する情報処理方法。
【符号の説明】
【０１０１】
１００  情報処理システム
２００  第１情報処理装置
２０１  第１情報処理装置
２１０  制御部
２２０  メモリ
２３０  操作部
２４０  表示部
２５０  音声出力部
２６０  近距離無線通信部
２７０  アンテナ
３００  第２情報処理装置
３０１  載置面
３０２  通信ケーブル
３１０  制御部
３２０  メモリ
３３０  アンテナ
３４０  近距離無線通信部
３５０  無線通信品質検出部
３６０  画像メモリ
３７０  出力部
４００  表示装置
６００  情報処理システム
６１０  プロジェクタ
６２０  スクリーン
７００  情報処理システム
７１０  第３情報処理装置
７２０  表示部
【図１】
0005853862.tif 000002
【図２】
0005853862.tif 000003
【図３】
0005853862.tif 000004
【図４】
0005853862.tif 000005
【図５】
0005853862.tif 000006
【図６】
0005853862.tif 000007
【図７】
0005853862.tif 000008
【図８】
0005853862.tif 000009
【図９】
0005853862.tif 000010